(57)【要約】【課題】眠気が検出された場合に、重要なファイルが誤って消去されたり、あるいは誤ってメールの送信や電話の発呼がなされて他人に迷惑をかけたりするのを防止することができる電子機器を提供する。【解決手段】入力部６には、ユーザによる指示が入力される。眠気検出部２０は、ユーザの眠気状態を検出する。制御部４は、眠気状態が検出された場合において、入力部を通じてユーザから指示が入力されたときに、指示の実行を制限する。【選択図】図１
2016006957.tif 000002
【特許請求の範囲】
【請求項１】
ユーザによる指示が入力される入力部と、
ユーザの眠気状態を検出する検出部と、
前記眠気状態が検出された場合において、前記入力部を通じて前記ユーザから指示が入力されたときに、前記指示の実行を制限する制御部とを備えた電子機器。
【請求項２】
前記制御部は、前記眠気状態が検出された場合に、前記入力部を通じて前記ユーザから特定の指示が入力されたときに、前記特定の指示が実行されないように制御する、請求項１記載の電子機器。
【請求項３】
前記制御部は、前記眠気状態が検出された場合において、前記入力部を通じて前記ユーザからファイルの削除指示が入力されたときに、前記ファイルが削除されないように制御する、請求項２記載の電子機器。
【請求項４】
前記制御部は、前記眠気状態が検出された場合において、前記入力部を通じて前記ユーザから発呼指示が入力されたときに、発呼が行われないように制御する、請求項２記載の電子機器。
【請求項５】
前記制御部は、前記眠気状態が検出された場合において、前記入力部を通じて前記ユーザからメールの送信指示が入力されたときに、前記メールが送信されないように制御する、請求項２記載の電子機器。
【請求項６】
前記制御部は、前記眠気状態が検出された場合において、前記入力部を通じて前記ユーザから前記制限の解除指示以外の指示が入力されたときに、前記指示が実行されないように制御する、請求項１記載の電子機器。
【請求項７】
前記制御部は、前記制限の後、前記眠気状態が解消されたことが検出され、かつ前記入力部を通じて前記ユーザから前記制限の解除指示が入力された場合には、前記制限を解除する、請求項１記載の電子機器。
【請求項８】
ユーザの眠気状態を検出する検出部と、
イヤホンが接続可能なイヤホンジャックと、
前記眠気状態が検出された場合において、前記イヤホンが前記イヤホンジャックから抜き取られたときに、警告音を発生する制御部とを備えた電子機器。
【請求項９】
前記検出部は、前記ユーザの脈拍に基づいて、前記ユーザの眠気状態を検出する、請求項１〜８のいずれか１項に記載の電子機器。
【発明の詳細な説明】
【技術分野】
【０００１】
本発明は、電子機器に関し、特に、ユーザの眠気状態を検出する機能を有する電子機器に関する。
【背景技術】
【０００２】
従来から、ユーザの眠気状態を検出する機能を有する装置が知られている。
たとえば、特許文献１（特開２００７−３１３３５８号公報）には、運転者の眠気状態が検出された場合に、安全のために運転者に警告を行なう装置が開示されている。
【先行技術文献】
【特許文献】
【０００３】
【特許文献１】特開２００７−３１３３５８号公報
【発明の概要】
【発明が解決しようとする課題】
【０００４】
ところで、パソコンや携帯端末を使用するユーザが、眠気を感じたままキー操作やタッチ操作を行なう場合がある。眠気を感じたまま操作をすると、重要なファイルが誤って消去されたり、誤ってメールの送信や電話の発呼がなされ、他人に迷惑をかけたりする場合がある。また、他人に、パソコンや携帯端末が盗まれたりする場合もある。
【０００５】
このようなパソコンや携帯端末の操作では、車の運転のように、眠気が検出されたからといって安全のために直ぐに警告を発する必要もない。また、ユーザが眠気の状態を維持することを望む場合に、警告によって覚醒されるのは煩わしい。
【課題を解決するための手段】
【０００６】
本発明の一態様による電子機器は、ユーザによる指示が入力される入力部と、ユーザの眠気状態を検出する検出部と、眠気状態が検出された場合において、入力部を通じてユーザから指示が入力されたときに、指示の実行を制限する制御部とを備える。
【０００７】
本発明の別の態様による電子機器は、ユーザの眠気状態を検出する検出部と、イヤホンが接続可能なイヤホンジャックと、眠気状態が検出された場合において、イヤホンがイヤホンジャックから抜き取られたときに、警告音を発生する制御部とを備える。
【発明の効果】
【０００８】
本発明の一態様によれば、例えば、重要なファイルが誤って消去されたり、誤ってメールの送信や電話の発呼がなされて他人に迷惑をかけたりするのを防止することができる。
【図面の簡単な説明】
【０００９】
【図１】本発明の実施形態のスマートフォンと、スマートフォンに接続されるイヤホンの構成を表わす図である。
【図２】赤外線の送信、および受信の様子を表わす図である。
【図３】第１の実施形態における、眠気状態の検出に基づく、ユーザの指示の実行または制限の処理の手順を表わすフローチャートである。
【図４】制限の解除指示の画面を表わす図である。
【図５】（ａ）〜（ｄ）は、ファイルの削除指示において表示される画面の例を表わす図である。
【図６】（ａ）および（ｂ）は、発呼指示において表示される画面の例を表わす図である。
【図７】（ａ）および（ｂ）は、メールの送信指示において表示される画面の例を表わす図である。
【図８】第２の実施形態における、眠気状態の検出に基づく、ユーザの指示の実行または制限の処理の手順を表わすフローチャートである。
【図９】画面のロック状態を表わす図である。
【図１０】第３の実施形態における、眠気状態の検出に基づく、ユーザの指示の実行または制限の処理の手順を表わすフローチャートである。
【図１１】眠気状態が検出された場合に、イヤホンがイヤホンジャックが抜き取られたときの状態を表わす図である。
【発明を実施するための形態】
【００１０】
以下、本発明の実施の形態について図面を用いて説明する。
［第１の実施形態］
図１は、本発明の実施形態のスマートフォン１と、スマートフォン１に接続されるイヤホン５１の構成を表わす図である。
【００１１】
図１を参照して、スマートフォン１は、アンテナ２と、無線通信部３と、イヤホンジャック８と、制御部４と、入力部６と、表示部７と、音声出力部１２と、スピーカ５と、送信制御部１１と、信号受信部１０と、脈拍測定部９と、眠気検出部２０とを備える。
【００１２】
スマートフォン１は、１または複数のプロセッサとプログラムを記憶する記憶部を備え、その１または複数のプロセッサが、記憶部に記憶されたプログラムを読み出して実行することにより、制御部４と、送信制御部１１と、信号受信部１０と、脈拍測定部９と、眠気検出部２０として機能してもよい。なお、記憶部は、例えば、不揮発性の半導体メモリであるフラッシュメモリ、または記憶装置であるＨＤＤ（Hard Disk Drive）を含んでもよい。
【００１３】
イヤホン５１は、シリコンキャップ１３と、ハウジング１６と、ダイナミックスピーカ１７と、赤外線送信器１４と、赤外線受信器１５とを備える。シリコンキャップ１３の代わりに、その他の材料のキャップを用いてもよい。
【００１４】
入力部６は、タッチパネルなどで構成され、ユーザによる入力を受け付ける。
表示部７は、例えば、液晶ディスプレイで構成される。なお、表示部７は、有機ＥＬ（Electro-Luminescence）ディスプレイ等、他の種類のディスプレイであってもよい。
【００１５】
無線通信部３は、アンテナ２を通じて無線基地局との間で無線通信を行なう。
音声出力部１２は、音声信号をスピーカ５またはイヤホン５１に出力する。
【００１６】
音声出力部１２は、イヤホン５１がスマートフォン１のイヤホンジャック８に接続されているときには、イヤホン５１内のダイナミックスピーカ１７へ音声信号を出力する。
【００１７】
音声出力部１２は、イヤホン５１がスマートフォン１のイヤホンジャック８に接続されていないときには、内部のスピーカ５へ音声信号を出力する。
【００１８】
送信制御部１１は、赤外線送信器１４における赤外線の送信を制御する信号をイヤホンジャック８へ出力する。
【００１９】
信号受信部１０は、赤外線受信器１５で受信した赤外線の波形信号をイヤホンジャック８から受信する。
【００２０】
ハウジング１６は、ダイナミックスピーカ１７、赤外線送信器１４、および赤外線受信器１５を収納する。ハウジング１６は、ダイナミックスピーカ１７から出力される音声の響鳴部分として機能する。シリコンキャップ１３は、ハウジング１６に装着される。
【００２１】
赤外線送信器１４は、赤外線を送信する。
赤外線受信器１５は、送信された赤外線がユーザの外耳の皮膚で反射した反射波を受信する。
【００２２】
図２は、赤外線の送信、および受信の様子を表わす図である。
赤外線送信器１４と赤外線受信器１５は、外耳の皮膚に向けられるようにイヤホン５１がユーザの耳に装着される。赤外線送信器１４から送信された送信波は、外耳の皮膚で反射し、赤外線受信器１５によって受信波として受信される。外耳の皮膚の下には、血管があり、血液が流れている。たとえば、赤外線送信器１４が、送出波を送信し、赤外線受信器１５が、反射波を受信する。脈拍によって血管が収縮することで、赤外線の吸収量が変わり、受信波の周期が脈拍の周期と同じになる。この受信波の周期によって脈拍を計算することができる。
【００２３】
脈拍測定部９は、受信した赤外線の波形信号に基づいて、イヤホン５１を装着したユーザの脈拍を測定する。
【００２４】
眠気検出部２０は、脈拍測定部９で測定された脈拍に基づいて、ユーザの眠気状態を検出する。より具体的には、たとえば、特開２００７−３１３３５８号公報に記載されているように、眠気検出部２０は、脈拍間隔の時系列データを生成する。眠気検出部２０は、現在の脈拍の間隔が時系列データの中で相対的に長い場合に、ユーザが眠気状態にあると検出する。眠気検出部２０は、現在の脈拍の間隔が時系列データの中で相対的に短い場合に、ユーザが覚醒状態にあると検出する。ここでは、眠気状態とは、睡眠状態も含む。
【００２５】
制御部４は、スマートフォン１の全体の動作を実行する。制御部４は、特に、眠気状態が検出された場合に、入力部６を通じてユーザの指示が入力されたときに、ユーザの指示の実行を制限する。
【００２６】
図３は、第１の実施形態における、眠気状態の検出に基づく、ユーザの指示の実行または制限の処理の手順を表わすフローチャートである。
【００２７】
このフローチャートで示される処理は、所定時間ごとに繰り返し実行される。１回前の処理で設定された制限フラグのオン／オフの状態は、本処理において引き続き反映される。
【００２８】
図３を参照して、ステップＳ１０１において、眠気検出部２０は、脈拍測定部９で測定されたユーザの脈拍に基づいて、ユーザの眠気状態を検出する。
【００２９】
ステップＳ１０２において、眠気状態が検出された場合には（ＹＥＳ）、処理がステップＳ１０３に進み、眠気状態が検出されなかった場合には（ＮＯ）、処理がステップＳ１０４に進む。
【００３０】
ステップＳ１０３において、制御部４は、制限フラグをオンに設定し、処理がステップＳ１０９に進む。
【００３１】
ステップＳ１０４において、制限フラグがオンに設定されている場合には（ＹＥＳ）、処理がステップＳ１０５に進み、制限フラグがオフに設定されている場合には（ＮＯ）、処理がステップＳ１０８に進む。
【００３２】
ステップＳ１０５において、制御部４は、図４に示すような制限の解除の入力画面を表示部７に表示する。
【００３３】
ステップＳ１０６において、入力部６を通じてユーザから制限の解除指示が入力された場合には（ＹＥＳ）、処理がステップＳ１０７に進み、ユーザから制限の解除指示が入力されなかった場合には（ＮＯ）、処理がステップＳ１０９に進む。
【００３４】
ステップＳ１０７において、制御部４は、制限フラグをオフに設定し、処理がステップＳ１０９に進む。
【００３５】
ステップＳ１０８において、制御部４は、制限フラグをオフのまま維持し、処理がステップＳ１０９に進む。
【００３６】
ステップＳ１０９において、制御部４は、制限フラグがオンの場合には（ＹＥＳ）、処理をステップＳ１１０に進ませ、制御フラグがオフの場合には（ＮＯ）、処理をステップＳ１１６に進ませる。
【００３７】
ステップＳ１１０において、制御部４は、入力部６を通じてユーザからファイルの削除指示が入力された場合には（ＹＥＳ）、処理をステップＳ１１１に進ませ、ユーザからファイルの削除指示が入力されなかった場合には（ＮＯ）、処理をステップＳ１１２に進ませる。
【００３８】
たとえば、図５（ａ）に示すように、特定のファイル（ｂ．ｊｐｇ）を示すアイコン９７を長押しすることによって、図５（ｂ）に示すように、ファイルの削除を選択する画面が表示される。ユーザが削除を選択すると、図５（ｃ）に示すように、ファイルの削除の確認画面が表示される。ユーザがファイルの削除の確認を指示（ＯＫを選択する）と、処理がステップＳ１１１に進む。
【００３９】
ステップＳ１１１において、制御部４は、ファイルの削除が実行されないように制御し、ファイルの削除を実行しない旨のメッセージを表示部７に表示する。たとえば、図５（ｄ）に示すようなメッセージ「現在、ファイルの削除は禁止されています。」が表示されるとともに、ファイルの削除が実行されない。
【００４０】
ステップＳ１１２において、制御部４は、入力部６を通じてユーザから発呼指示が入力された場合には（ＹＥＳ）、処理をステップＳ１１３に進ませ、ユーザから発呼指示が入力されなかった場合には（ＮＯ）、処理をステップＳ１１４に進ませる。
【００４１】
たとえば、図６（ａ）に示すように、発呼を示すアイコン９８にタッチすることによって、処理がステップＳ１１３に進む。
【００４２】
ステップＳ１１３において、制御部４は、発呼が実行されないように制御し、発呼を実行しない旨のメッセージを表示部７に表示する。たとえば、図６（ｂ）に示すようなメッセージ「現在、発呼は禁止されています。」が表示されるとともに、発呼が実行されない。
【００４３】
ステップＳ１１４において、制御部４は、入力部６を通じてユーザからメールの送信指示が入力された場合には（ＹＥＳ）、処理をステップＳ１１５に進ませ、ユーザからメールの送信指示が入力されなかった場合には（ＮＯ）、処理を終了する。
【００４４】
たとえば、図７（ａ）に示すように、入力部６を通じてユーザはメールの宛先（ＴＯ）、題名（ＳＵＢ）、およびメール文を作成し、送信を選択した場合に、処理がステップＳ１１５に進む。
【００４５】
ステップＳ１１５において、制御部４は、メールの送信が実行されないように制御し、メールの送信を実行しない旨のメッセージを表示部７に表示する。たとえば、図７（ｂ）に示すようなメッセージ「現在、メールの送信は禁止されています。」が表示されるとともに、メールが送信されない。
【００４６】
ステップＳ１１６において、制御部４は、入力部６を通じてユーザから指示が入力された場合には（ＹＥＳ）、処理をステップＳ１１７に進ませる。
【００４７】
ステップＳ１１７において、制御部４は、ユーザからの指示が実行されるように制御する。
【００４８】
以上のように、本実施の形態によれば、ユーザの眠気状態が検出された場合に、ユーザからファイルの削除、発呼、またはメールの送信の指示が入力されても、指示を実行しないようにすることができる。これによって、重要なファイルが誤って削除されたり、あるいは誤って発呼またはメールの送信をしてしまうことによって、他者に迷惑がかかるのを防止することができる。
【００４９】
なお、本実施の形態においては、ファイルの削除、発呼、およびメールの送信の指示が入力される場合を例に挙げたが、スケジュールの編集やアドレス帳の編集等、その他の指示が入力された場合に、指示を実行しないようにすることも可能である。
【００５０】
［第２の実施形態］
図８は、第２の実施形態における、眠気状態の検出に基づく、ユーザの指示の実行または制限の処理の手順を表わすフローチャートである。このフローチャートで示される処理は、所定時間ごとに繰り返し実行される。
【００５１】
図８を参照して、ステップＳ２０１において、眠気検出部２０は、脈拍測定部９で測定されたユーザの脈拍に基づいて、ユーザの眠気状態を検出する。
【００５２】
ステップＳ２０２において、眠気状態が検出された場合には（ＹＥＳ）、処理がステップＳ２０３に進み、眠気状態が検出されなかった場合には（ＮＯ）、処理がステップＳ２０６に進む。
【００５３】
ステップＳ２０３において、制御部４は、画面をロック状態にする。画面のロック状態では、たとえば図９に示すような画面が表示される。画面のロック状態では、制御部４は、入力部６を通じてユーザから指示が入力されたときに、この指示が画面ロックの解除指示以外の場合には、指示が実行されないように制御する。
【００５４】
ステップＳ２０４において、制御部４は、入力部６を通じてユーザが正しいパスワードを入力した場合には（ＹＥＳ）、処理をステップＳ２０５に進ませる。
【００５５】
ステップＳ２０５において、制御部４は、画面のロックを解除し、処理がステップＳ２０６に進む。
【００５６】
ステップＳ２０６において、制御部４は、入力部６を通じてユーザから指示が入力された場合には（ＹＥＳ）、処理をステップＳ２０７に進ませる。
【００５７】
ステップＳ２０７において、制御部４は、ユーザからの指示が実行されるように制御する。
【００５８】
以上のように、本実施の形態によれば、ユーザの眠気状態が検出された場合に、画面がロックされるので、ユーザからの指示が入力されても、指示を実行しないようにすることができる。これによって、眠気状態でなされたユーザによる誤った指示が実行されてしまうのを防止できる。
【００５９】
また、本実施の形態によれば、ユーザの眠気状態が検出された場合に、画面がロックされるので、ユーザが眠気状態にある場合に、スマートフォン１が他人に勝手に操作されることを防止することができる。これにより、例えば、スマートフォン１に記憶されているデータが他人によって勝手に閲覧されたり、削除されたりすることを防止することができる。
【００６０】
なお、上述の例では、画面のロック状態において、制御部４は、入力部６を通じてユーザから指示が入力されたときに、この指示が画面ロックの解除指示以外の場合には、指示が実行されないように制御するとしたが、画面のロック解除指示以外の指示を含む一部の指示については実行されるように制御してもよい。また、画面のロック状態において、入力部６がタッチパネルとハードキーとを含む場合には、ハードキーを通じてユーザから指示が入力された場合には、指示が実行されてもよい。画面のロック状態では、入力部６を通じてユーザから指示が入力されたとき、画面のロック解除指示を含む一部の指示については指示が実行され、その他の指示については指示が実行されないように制御される。
【００６１】
［第３の実施形態］
図１０は、第３の実施形態における、眠気状態の検出に基づく、ユーザの指示の実行または制限の処理の手順を表わすフローチャートである。このフローチャートで示される処理は、所定時間ごとに繰り返し実行される。
【００６２】
図１０を参照して、ステップＳ９０１において、眠気検出部２０は、脈拍測定部９で測定されたユーザの脈拍に基づいて、ユーザの眠気状態を検出する。
【００６３】
ステップＳ９０２において、眠気状態が検出された場合には（ＹＥＳ）、処理がステップＳ９０３に進み、眠気状態が検出されなかった場合には（ＮＯ）、処理がステップＳ９０８に進む。
【００６４】
ステップＳ９０３において、制御部４は、画面をロック状態にする。
ステップＳ９０４において、制御部４は、イヤホン５１がイヤホンジャック８から抜き取られたことを検出したときには（ＹＥＳ）、処理をステップＳ９０５に進ませ、イヤホン５１がイヤホンジャック８から抜き取られたことを検出しなかったときには（ＮＯ）、処理をステップＳ９０６に進ませる。
【００６５】
ステップＳ９０５において、制御部４は、音声出力部１２に警告音の音声信号を出力させる。図１１に示すように、イヤホン５１がイヤホンジャック８に接続されていないので、音声出力部１２は、音声信号をスピーカ５に出力し、スピーカ５から警告音が発せられる。
【００６６】
ステップＳ９０６において、制御部４は、入力部６を通じてユーザが正しいパスワードを入力した場合には（ＹＥＳ）、処理をステップＳ９０７に進ませる。制御部４は、入力部６を通じてユーザが正しいパスワードを入力しなかった場合には（ＮＯ）、処理をステップＳ９０４に進ませる。
【００６７】
ステップＳ９０７において、制御部４は、画面のロックを解除し、処理がステップＳ９０８に進む。
【００６８】
ステップＳ９０８において、制御部４は、入力部６を通じてユーザから指示が入力された場合には（ＹＥＳ）、処理をステップＳ９０９に進ませる。
【００６９】
ステップＳ９０９において、制御部４は、ユーザからの指示が実行されるように制御する。
【００７０】
以上のように、本実施の形態によれば、ユーザの眠気状態が検出された場合に、イヤホンがイヤホンジャックから抜き取られたときに、警告音を出力する。これによって、ユーザがイヤホンを耳に装着しているときに眠気状態となり、他者がスマートフォンを勝手に持ち去ろうとして、スマートフォンからイヤホンを抜き取ったときに、警告音が出力される。その結果、ユーザが覚醒するとともに、スマートフォンを持ち去ろうとした他者を威嚇することになり、スマートフォンの盗難を防止することができる。
【００７１】
なお、本実施の形態では、イヤホンがイヤホンジャックから抜き取られたときに、警告音を出力するとしたが、ユーザの眠気状態が検出された場合に、イヤホンが耳から外されたときに、警告音を出力するようにしてもよい。これにより、ユーザがイヤホンを耳に装着しているときに眠気状態となり、他者がスマートフォンを勝手に持ち去ろうとして、ユーザの耳からイヤホンを抜き取ったときに、警告音が出力される。この場合、イヤホン５１がイヤホンジャック８に接続されていても、警告音がスピーカ５から出力される。その結果、ユーザが覚醒するとともに、スマートフォンを持ち去ろうとした他者を威嚇することになり、スマートフォンの盗難を防止することができる。
【００７２】
なお、ユーザの眠気状態が検出された場合に、イヤホンがイヤホンジャックから抜き取られたとき、警告音とともに他の方法でユーザに報知がなされてもよい。たとえば、表示部７におけるメッセージの表示、表示部７における画面の輝度の変化、および画面の点滅の少なくとも１つが行われてもよい。また、警告音の代わりに他の方法でユーザに報知がなされてもよい。たとえば、警告音の代わりにスマートフォン１が振動することによって報知が行われてもよい。
【００７３】
また、眠気状態のレベルを検知し、眠気状態のレベルに応じて報知の方法を異ならせてもよい。たとえば、眠気状態のレベルが低い状態、すなわち周囲の環境が少し変化しただけで眼を覚ますような浅い眠りの状態である場合には、上述したような表示部７を利用した報知がなされ、眠気状態のレベルが高い状態、すなわち深い眠りの状態である場合には、警告音によって報知がなされてもよい。このレベルは、たとえば、眠気検出部２０によって検出される脈拍の間隔が所定の間隔以上か否かによって判断されてもよい。さらに、眠気状態のレベルに応じて、警告音の音量が変化してもよく、スマートフォン１の振動の振動量が変化してもよい。
【００７４】
（変形例）
本発明は、上記実施の形態に限定されるものではなく、たとえば以下のような変形例も含む。
【００７５】
（１）眠気状態の検出方法
本発明の実施形態では、イヤホンに組み込まれた赤外線送信器および赤外線受信器によって、ユーザの脈拍を測定したが、これに限定されるものではない。
【００７６】
たとえば、ブレスレット型の脈拍センサによって、ユーザの脈拍を測定するものとしてもよい。
【００７７】
また、脈拍以外の信号によって、ユーザの眠気状態を検出するものとしてもよい。
たとえば、特開２０１０−１７９０３４号公報および特開２００７−３１３３５８号公報に記載されているように、カメラでユーザの顔を撮影し、画像処理によってユーザの目頭と目尻の位置を検出し、検出した位置に従って、ユーザの眠気状態を検出することとしてもよい。
【００７８】
あるいは、特開２００７−３１３３５８号公報に記載のように、ユーザの眼球運動に基づいて、ユーザの眠気状態を検出するものとしてもよい。
【００７９】
あるいは、特開２０１３−１７１５４６号公報に記載のように、呼気センサ、脳波センサ、または体温センサによって、ユーザの眠気状態を検出することとしてもよい。
【００８０】
（２）電子機器
本発明の実施形態では、電子機器の一例としてスマートフォンを例として説明したが、本発明の電子機器は、スマートフォンに限定されるものではなく、他の種類の携帯端末、パソコン、またはタブレットなどのようなものも含まれる。
【００８１】
（３）制限の解除
本発明の実施形態では、制御部４は、制限の後、眠気状態が解消されたことが検出され、かつ入力部６を通じてユーザから制限の解除指示が入力された場合には、制限を解除することとしたが、これに限定するものではない。制御部４は、いずれか一方の条件が満たされたときに、制限を解除するものとしてもよい。
【００８２】
すなわち、制御部４は、制限の後、眠気状態が解消されたことが検出された場合において、制限を解除するものとしてもよい。あるいは、制御部４は、制限の後、入力部６を通じてユーザから制限の解除指示が入力された場合には、制限を解除するものとしてもよい。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１  スマートフォン、２  アンテナ、３  無線通信部、４  制御部、５  スピーカ、６  入力部、７  表示部、９  脈拍測定部、１０  信号受信部、１１  送信制御部、１２  音声出力部、１３  シリコンキャップ、１４  赤外線送信器、１５  赤外線受信器、１６  ハウジング、１７  ダイナミックスピーカ、２０  眠気検出部、５１  イヤホン。
【図１】
2016006957.tif 000003
【図２】
2016006957.tif 000004
【図３】
2016006957.tif 000005
【図４】
2016006957.tif 000006
【図５】
2016006957.tif 000007
【図６】
2016006957.tif 000008
【図７】
2016006957.tif 000009
【図８】
2016006957.tif 000010
【図９】
2016006957.tif 000011
【図１０】
2016006957.tif 000012
【図１１】
2016006957.tif 000013